(57)【要約】【課題】原子炉用ジェットポンプにおけるインレットミキサ固定用のヘッドボルト回り止めを行うキーパーとプレートでは、インレットミキサを取外すたびにキーパーとプレートとの溶接を行う必要が有り作業に手間がかかり、作業に大幅な時間を要する。【解決手段】インレットミキサ８をライザ６に固定するヘッドボルト１３に多角面を介して結合するキーパ１４下端に逆転防止歯車１６を形成し、ライザ６側に固定されたプレート１５に前記逆転防止歯車１６と係合し、ヘッドボルト１３の回り止めを行うバネ部材１７を形成する。【選択図】図３
2005233864.tif 000002
【特許請求の範囲】
【請求項１】
沸騰水型原子炉の原子炉圧力容器内に設けられ、再循環ノズルから供給された循環冷却水を上昇させるライザと、上昇した冷却水を炉水とともに下方に導くインレットミキサと、冷却水を下方に噴出するディフューザとを備えた原子炉用ジェットポンプにおいて、インレットミキサをライザに固定するヘッドボルトに嵌合したキーパ下端に逆転防止歯車を形成し、ライザ側に固定されたプレートに前記逆転防止歯車と係合しヘッドボルトの回り止めを行うバネ部材を設けたことを特徴とする原子炉用ジェットポンプ。
【請求項２】
歯車とバネ部材のそれぞれの接触部をテーパー状としたことを特徴とする請求項１記載の原子炉用ジェットポンプ。
【請求項３】
ピンを挿入することにより逆転防止歯車とバネ部材との係合を解除する孔を形成したことを特徴とする請求項１記載の原子炉用ジェットポンプ。
【発明の詳細な説明】
【技術分野】
【０００１】
本発明は沸騰水型原子炉の原子炉圧力容器のダウンカマ部に設置される冷却水循環用のジェットポンプに関する。
【背景技術】
【０００２】
沸騰水型原子炉では一次冷却水を強制的に循環して炉心を冷却している。しかし、原子炉の出力の増加とともに冷却水の流量も膨大となるため、全流量を外部循環させるのは得策ではない。
【０００３】
このため、原子炉圧力容器内に原子炉用ジェットポンプが設けられている。このジェットポンプは、原子炉圧力容器内を下りてきた冷却水の一部を再循環系で圧力容器の外に導き、再循環ポンプで加圧して、ヘッダから分岐したライザを通してシュラウド周囲に配置したジェットポンプに送り込むようにしている。
【０００４】
ジェットポンプでは送りこまれた一次冷却水をディフューザに送りこみ、ディフューザから噴出した駆動水はダウンカマを下りてくる冷却水をスロート部分で吸いこんで炉心に送り込む。
【０００５】
このような原子炉用ジェットポンプは、原子炉圧力容器の炉壁と原子炉圧力容器の中心部に設けられる炉心シュラウドとの間に形成されるダウンカマと称される環状の周方向間隙内に設置される。
【０００６】
そして、このジェットポンプを介して循環冷却水が再循環ノズルから下部ブレナム部に吐出され、これにより循環冷却水が炉心へ供給される。  
このような原子炉用ジェットポンプは、再循環ノズルから供給された循環冷却水を上昇させるライザと、上昇した冷却水を炉水とともに下方に導くインレットミキサ、および冷却水を下方に噴出するディフューザとから構成されている。
【０００７】
このようなジェットポンプを原子炉圧力容器内に設置する際、一般にライザ、ディフューザ、インレットミキサの順に据付を行う。  
すなわち、インレットミキサの据付は、その下端をライザのパイプ側面に取付けられたライザブラケットに挿通させ、ディフューザ頂部の開口部に差込む。
【０００８】
そして、インレットミキサ側に設けられるエルボ部のシート面をライザの頂部に搭載し、インレットミキサの頂部に取り付けられたビームをヘッドボルトで締付けライザと締結して完了する。（例えば、特許文献１参照）
【特許文献１】特開２００１−２４９１９６号公報
【発明の開示】
【発明が解決しようとする課題】
【０００９】
ところで、インレットミキサーはビームによりライザーに締結した後、その頂部のヘッドボルトの廻り止めを行わなければならない。  
このため従来技術では、インレットミキサの頂部に取り付けられたビームをヘッドボルトを回転させることでライザに締付け、ライザー頂部に固定した後、ヘッドボルト上部の六角面と同じ六角面を内側にもつキーパーをヘッドボルトの頭部に被せ、ビーム上面のプレート上に密着させる。この後、キーパーとプレートとを溶接することで廻り止めを行っている。
【００１０】
しかしながら、従来のようなジェットポンプの構造では、インレットミキサを取外し、再据付を行うたびにキーパーとプレートとの溶接を分離する作業と、再び組立てて溶接を行う作業が必要である。この作業は運転中のプラントでは放射線防護のため水中作業となり、取外し、再据付作業に多大な手間と時間がかかるという課題があった。  
本発明は以上の課題を解決するために成されたものであり、インレットミキサの取外し、再据付が短時間に容易に行える原子炉用ジェットポンプを提供することを目的とする。
【課題を解決するための手段】
【００１１】
以上の目的を達成するために請求項１記載の発明は、沸騰水型原子炉の原子炉圧力容器内に設けられ、再循環ノズルから供給された循環冷却水を上昇させるライザと、上昇した冷却水を炉水とともに下方に導くインレットミキサと、冷却水を下方に噴出するディフューザとを備えた原子炉用ジェットポンプにおいて、インレットミキサをライザに固定するヘッドボルトに嵌合したキーパ下端に逆転防止歯車を形成し、ライザ側に固定されたプレートに前記逆転防止歯車と係合しヘッドボルトの回り止めを行うバネ部材を設けたことを特徴とする。
【発明の効果】
【００１２】
本発明の原子炉用ジェットポンプによれば、インレットミキサの再据付の際、溶接を行うことなく、簡単にジェットポンプビームのヘッドボルトの廻り止めを行え、かつ容易に廻り止めを解除できるので、インレットミキサの取外し、再据付が短時間に容易に行える。
【発明を実施するための最良の形態】
【００１３】
以下、本発明の実施の形態について図面を参照して説明する。  
図１において、１は原子炉圧力容器、２は前記原子炉圧力容器１内の中心部に設置され、炉心を収納するシュラウド、３は原子炉圧力容器１の内壁４とシュラウド２との間に形成された周方向間隙であるダウンカマ部である。  
５はジェットポンプで、前記ダウンカマ部３においてシュラウド２の外周に沿って複数台設置され、シュラウド２内の炉心(図示せず)に冷却水を供給する。
【００１４】
図２はジェットポンプ５の詳細な構造を示す図である。  
図２において、ジェットポンプ５は、冷却水供給管であるライザ６、ディフューザ７およびインレットミキサ８から構成される。
【００１５】
ジェットポンプ５はライザ６から供給された冷却水を、ライザ６上部に設けられたトランジションピース９に締結したインレットミキサ８を介して、ディフューザ７から下部プレナム部に吐出する。  
インレットミキサ８は、トランジションピース９のシート面上に設置されている。
【００１６】
図３は、ジェットポンプ５の上部の詳細な構造を示す斜視図である。  
トランジションピース９には、上方に突き出したポスト１０が両側(図では一方のポストのみ図示)に形成され、ポスト１０の内面側にはポケット１１が形成されている。  
このポケット１１には、その上端面に接するビーム１２の端部が挿入され、支持されている。
【００１７】
ビーム１２は板バネ部材であり、中央部に図示しないがネジ孔が形成されている。  
このネジ孔には、下端がインレットミキサ８の頂部に接する六角形の頭部１３ａを有するヘッドボルト１３がねじ込んである。ヘッドボルト１３には所定の軸力が与えられており、ビーム１２の復元力によりインレットミキサ８をトランジションピース９を介して、ライザ６に固定される。
【００１８】
１４はヘッドボルト１３の廻り止めのキーパーで、前記ヘッドボルト１３の六角形の頭部１３ａに被せられ、多角面を介してヘッドボルト１３と結合し、キーパー１４の下面にはビーム１２にねじ止めされたプレート１５が配置されている。
【００１９】
図４は本実施の形態による原子炉用ジェットポンプのヘッドボルトの廻り止め機構の概略構成を示す図である。  
図４において、キーパー１４内面側には、ヘッドボルト１３の頭部１３ａと同じ６面の孔１４ａが形成されており、キーパー１４をプレート１５の上面で固定させることで、キーパー１４内面の孔１４ａの６面がヘッドボルト１３の頭部１３ａの６面と接することで、ヘッドボルト１３の回転を止める構造となっている。つまり、キーパー１４とヘッドボルト１３とは嵌り合っている。  
キーパー１４は、下端部がテーパー形状となっており、その下端部より少し上方に逆回転防歯車１６が切ってある。
【００２０】
プレート１５には、ヘッドボルト１３が通るための孔があいており、図４（ｂ）に示すように上面にはキーパー１４を受ける座がある。座の側面には、バネ部材１７が突出ている。バネ部材１７の突き出た部分は、テーパー形状をしている。
【００２１】
キーパー１４下端部のテーパー形状により、プレート１５のバネ部材１７を押し開き、キーパー１４は、プレート１５の座の上面に接する。  
キーパー１４がプレート１５の座上面に接した時には、キーパー１４下端の段付部より細くなった逆転防止の逆転防止歯車１６とプレート１５のバネ部１７の端部が係合する。
これにより、キーパー１４は、バネ部材１７の反力によりその回転を拘束され、ひいては、ヘッドボルト１３の回転を拘束する。
【００２２】
また、廻り止めを解除するときは、バネ部材１７に設けた孔１８にテーパー状のピンを差し入れ、バネを閉じ、逆転防止歯車１６に係合しているバネ部１７材の端部を逆転防止歯車１６から外すことで行うことが出来る。  
このように本実施の形態によれば、キーパー１4とプレート１５を溶接することなくジェットポンプビームのヘッドボルトの廻り止めが行われ、かつ容易に廻り止めを解除することができる。
【図面の簡単な説明】
【００２３】
【図１】一般的な原子力圧力容器の概略構成を示す断面図。
【図２】本発明の第１の実施の形態による原子炉用ジェツトポンプを示す正面図。
【図３】本発明の第１の実施の形態による原子炉用ジェツトポンプの要部を示す拡大斜視図。
【図４】本発明の（ａ）第１の実施の形態による原子炉用ジェツトポンプの要部を示す図で、（ａ）は平面図、（ｂ）は（ａ）図のＢ部拡大詳細図、（ｃ）は（ａ）図のＡ−Ａ縦断正面図、（ｄ）は（ｂ）図のＣ部拡大詳細図。
【符号の説明】
【００２４】
１…原子炉圧力容器、２…シュラウド、３…ダウンカマ部、４…内壁、５…ジェットポンプ、６…ライザ、７…ディフューザ、８…インレットミキサ、９…トランジッションピース、１０…ポスト、１１…ポケット、１２…ビーム、１３…ヘッドボルト、１４…キーパ、１５…プレート、１６…逆転防止歯車、１７…バネ部材、１８…孔。
【図１】
2005233864.tif 000003
【図２】
2005233864.tif 000004
【図３】
2005233864.tif 000005
【図４】
2005233864.tif 000006